【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
シン・クライアント・アプリケーションを通じて連携的にコメントするために、コンピュータ・プロセッサによって実行される方法であって、
ドキュメントを受信するステップと、
前記シン・クライアント・アプリケーションから、前記ドキュメントを閲覧する要求を受けるステップと、
前記ドキュメントのイメージを前記シン・クライアント・アプリケーションに送るステップと、
１つ以上のコメントと、前記ドキュメントにおいてコメントが前記シン・クライアント・アプリケーションにアンカーされる位置に各前記コメントを関連づける情報とを送るステップであって、前記コメントおよび前記情報が拡張可能マークアップ言語（ＸＭＬ）ファイルで送られ、コメントの位置を表す選択可能な制御手段が、前記アンカーの位置の付近にある位置において、前記ドキュメントのイメージ上のハイパーテキスト・マークアップ言語（ＨＴＭＬ）オーバーレイとして表示される、ステップと
を含み、
前記ドキュメントのイメージに隣接して表示されるペインが前記１つ以上のコメントを含み、前記１つ以上のコメントの内の１つの選択によって、前記表示を、前記１つ以上のコメントの内の前記１つに関連づけられ、前記ドキュメントのイメージの一部の上にＨＴＭＬオーバーレイを設ける前記アンカーの位置において、前記ドキュメントの一部をスクロールし、前記ＨＴＭＬオーバーレイが、前記選択されたコメントの前記アンカーをハイライトする、方法。
【請求項２】
請求項１記載の方法であって、更に、前記ドキュメントにおけるコメントの位置を表す前記選択可能な制御手段の選択の指示を受けたときに、前記ドキュメントのイメージの脇に表示されるＨＴＭＬペインを設けるステップを含み、前記ペインが前記ドキュメントにおける前記１つ以上のコメントを表示する、方法。
【請求項３】
請求項２記載の方法において、前記ペインにおける前記１つ以上のコメントが、前記ドキュメントにおける前記コメントの位置を表す選択された制御手段に関連づけられる前記コメントにスクロールされる、方法。
【請求項４】
請求項２記載の方法であって、更に、前記ドキュメントにおけるコメントの位置を表す前記選択可能な制御手段の選択の指示を受けたときに、前記ドキュメントのイメージの一部の上にＨＴＭＬオーバーレイを設けるステップを含み、前記ＨＴＭＬオーバーレイが、前記ドキュメントにおける前記コメントの位置を表す前記選択された制御手段に関連付けられた前記コメントのアンカー上でハイライトするように表示される、方法。
【請求項５】
請求項１記載の方法であって、更に、
ユーザーがコメントを前記ドキュメントに追加することを可能にするユーザー・インターフェース・コンポーネントを設けるステップと、
前記ドキュメントへのコメントの引き渡しの指示を受けるステップと、
前記ドキュメントへの前記コメントを保存するステップと、
前記ドキュメントにおいて前記コメントがアンカーされた位置に前記コメントを関連付ける情報を保存するステップと、
前記ドキュメントにおいて前記コメントが前記シン・クライアント・アプリケーションにアンカーされた位置に前記コメントを関連付ける情報を送るステップであって、前記コメントの位置を表す選択可能な制御手段が、前記アンカーの位置の付近にある位置において、前記ドキュメントのイメージ上のＨＴＭＬオーバーレイとして表示され、ハイライトが、前記ドキュメントのイメージ上のＨＴＭＬオーバーレイとして前記コメントのアンカー上に表示される、ステップと
を含む、方法。
【請求項６】
請求項１記載の方法であって、更に、
ユーザーが前記ドキュメントにおいてコメントへ回答することを可能にするユーザー・インターフェース・コンポーネントを設けるステップと、
前記コメントへの回答の引き渡しの指示を受けるステップと、
前記ドキュメントへの前記回答を保存するステップと、
前記ドキュメントにおいて前記回答を親コメントと関連づける情報を保存するステップと
を含む、方法。
【請求項７】
請求項１記載の方法であって、更に、
ユーザーがコメントを終了したものとして印をつけることを可能にするユーザー・インターフェース・コンポーネントを設けるステップと、
ユーザーがコメントを終了したものとして印をつけることを可能にする前記ユーザー・インターフェース・コンポーネントの選択の指示を受けるステップと、
前記コメントのステータスを終了に変更するステップと、
前記コメントに関連づけられた回答を前記コメントが有する場合に、前記コメントに関連づけられた前記回答のステータスを終了に変更するステップと
を含む、方法。
【請求項８】
請求項１記載の方法であって、更に、
ユーザーがコメントを削除することを可能にするユーザー・インターフェース・コンポーネントを設けるステップと、
コメントを削除する前記ユーザー・インターフェース・コンポーネントの選択の指示を受けるステップと、
前記コメントを削除するステップと、
前記コメントに関連づけられた回答を前記コメントが有する場合に、前記コメントに関連づけられた前記回答を削除するステップと
を含む、方法。
【請求項９】
シン・クライアント・アプリケーションを通じて連携的にコメントするためのシステムであって、
１つ以上のシン・クライアント・アプリケーションからアクセス可能なドキュメントを格納するデータ・ストアと、
サーバーであって、
プロセッサーおよびコンピューター読み取り可能媒体と、
前記コンピューター読み取り可能媒体上に格納され、前記プロセッサー上で実行する動作環境と、
アプリケーションと
を備える、サーバーと
を備え、前記アプリケーションが、前記プロセッサーによって、
ドキュメントを受信し、
前記データ・ストアから前記ドキュメントを開き、
前記シン・クライアント・アプリケーションから、前記ドキュメントを閲覧する要求を受け、
前記ドキュメントのイメージを前記シン・クライアント・アプリケーションに送り、
１つ以上のコメントと、前記ドキュメントにおいてコメントが前記シン・クライアント・アプリケーションにアンカーされる位置に各前記コメントを関連付ける情報とを送り、前記コメントおよび情報が拡張可能マークアップ言語（ＸＭＬ）ファイルで送られ、コメントの位置を表す選択可能な制御手段が、前記アンカーの位置の付近にある位置において、前記ドキュメントのイメージ上のハイパーテキスト・マークアップ言語（ＨＴＭＬ）オーバーレイとして表示され、
前記ドキュメントのイメージに隣接して表示されるペインが前記１つ以上のコメントを含み、前記１つ以上のコメントの内の１つの選択によって、前記表示を、前記１つ以上のコメントの内の前記１つに関連づけられ、前記ドキュメントのイメージの一部の上にＨＴＭＬオーバーレイを設ける前記アンカーの位置において、前記ドキュメントの一部をスクロールし、前記ＨＴＭＬオーバーレイが、前記選択されたコメントの前記アンカーをハイライトするように実行される、システム。
【請求項１０】
請求項９記載のシステムにおいて、前記アプリケーションが、前記プロセッサーによって、更に、前記ドキュメントにおけるコメントの位置を表す前記選択可能な制御手段についての選択の指示を受けたときに、前記ドキュメントのイメージの脇に表示されるＨＴＭＬペインを設けるように実行され、前記ペインが前記ドキュメントにおける前記１つ以上のコメントを表示する、システム。
【請求項１１】
請求項１０記載のシステムにおいて、前記ペインにおける前記１つ以上のコメントが、前記ドキュメントにおける前記コメントの位置を表す前記選択された制御手段に関連づけられる前記コメントにスクロールされる、方法。
【請求項１２】
請求項１０記載のシステムにおいて、前記アプリケーションが、前記プロセッサーによって、更に、前記ドキュメントにおけるコメントの位置を表す前記選択可能な制御手段の選択の指示を受けたときに、前記ドキュメントのイメージの一部の上にＨＴＭＬオーバーレイを設けるように実行され、前記ＨＴＭＬオーバーレイが、前記ドキュメントにおける前記コメントの位置を表す前記選択された制御手段に関連付けられた前記コメントのアンカー上でハイライトするように表示される、システム。
【請求項１３】
請求項９記載のシステムにおいて、前記アプリケーションが、前記プロセッサーによって、更に、
前記ドキュメントへのコメントの引き渡しの指示を受け、
前記ドキュメントへの前記コメントを保存し、
前記ドキュメントにおいて前記コメントがアンカーされた位置に前記コメントを関連付ける情報を保存し、
前記ドキュメントにおいて前記コメントが前記シン・クライアント・アプリケーションにアンカーされた位置に前記コメントを関連付ける前記情報を送り、前記コメントの位置を表す選択可能な制御手段が、前記アンカーの位置の付近にある位置において、前記ドキュメントのイメージ上のＨＴＭＬオーバーレイとして表示され、ハイライトが、前記ドキュメントのイメージ上のＨＴＭＬオーバーレイとして、前記コメントのアンカー上に表示される、
ように実行される、システム。
【請求項１４】
請求項９記載のシステムにおいて、前記アプリケーションが、前記プロセッサーによって、更に、
ユーザーが前記ドキュメントにおいてコメントへ回答することを可能にするユーザー・インターフェース・コンポーネントを設け、
前記ドキュメントへの回答の引き渡しの指示を受け、
前記ドキュメントへの前記回答を保存し、
前記ドキュメントにおいて前記回答を親コメントに関連づける情報を保存する
ように実行される、システム。
【請求項１５】
コンピューター実行可能命令を収容するコンピューター読み取り可能媒体であって、前記命令がコンピューターによって実行されると、シン・クライアント・アプリケーションを通じて連携的にコメントする方法を実行し、前記方法が、
前記シン・クライアント・アプリケーションにおいて前記ドキュメントのイメージを受信するステップと、
１つ以上のコメントと、前記ドキュメントにおいてコメントが前記シン・クライアント・アプリケーションにアンカーされる位置に各前記コメントを関連付ける情報と受けるステップであって、前記コメントおよび情報が拡張可能マークアップ言語（ＸＭＬ）ファイルで送られ、コメントの位置を表す選択可能な制御手段が、前記アンカーの位置の付近にある位置において、前記ドキュメントのイメージ上のハイパーテキスト・マークアップ言語（ＨＴＭＬ）オーバーレイとして表示され、前記１つ以上のコメントが、前記ドキュメントのイメージに隣接して表示されるペインに表示されるステップと、
前記選択可能な制御手段の選択を受けたのに応答して、前記選択可能な制御手段に関連づけられた前記１つ以上のコメントを表示するステップと、
前記１つ以上のコメントの内の１つの選択を受けたのに応答して、前記１つ以上のコメントの内の前記１つに関連づけられ、前記ドキュメントのイメージの一部の上にＨＴＭＬオーバーレイを設ける前記アンカーの位置において、前記ドキュメントの一部を表示するステップであって、前記ＨＴＭＬオーバーレイが、前記選択されたコメントの前記アンカーをハイライトする、ステップと
を含む、コンピューター読み取り可能媒体。
【請求項１６】
請求項１５記載のコンピューター読み取り可能媒体であって、前記方法が更に、前記選択可能な制御手段の選択を受けたのに応答して、前記ドキュメントのイメージの脇に表示されるＨＴＭＬペインを設けるステップを含み、前記ペインが前記ドキュメントにおける前記１つ以上のコメントを表示する、コンピューター読み取り可能媒体。
【請求項１７】
請求項１５記載のコンピューター読み取り可能媒体であって、前記方法が更に、前記ドキュメントのイメージの脇に表示されるＨＴＭＬペインを設けるステップを含み、前記ペインが前記ドキュメントにおける前記１つ以上のコメントを表示する、コンピューター読み取り可能媒体。